(57)【要約】      （修正有）【課題】包装用紙箱内部に保冷材などを挿入するに際し、挿入作業や取り出し作業を、容器の蓋を取り外すことなく、きわめて容易に行うことができる包装用紙箱を提供する。【解決手段】折り目ｘを共有する面板５，５ａの一方に、前記折り目ｘを折曲部とする開閉自在な開口部７を形成するとともに、前記一方の面板５ａの裏面から、前記開口部７を跨いで他方の面板５の裏面に張設される帯状のシート１０によって、他方の面板５との間に、物品を収納するためのポケットスペースＰを形成して包装用紙箱１とする。【選択図】図１
2010137903.tif 000002
【特許請求の範囲】
【請求項１】
台紙を折り組んで形成される包装用紙箱であって、
折り目を共有する面板の一方に、前記折り目を折曲部とする開閉自在な開口部を形成するとともに、
前記一方の面板の裏面から、前記開口部を跨いで他方の面板の裏面に張設される帯状のシートによって、他方の面板との間に物品を収納するためのポケットスペースを形成してなること
を特徴とする包装用紙箱。
【請求項２】
前記包装用紙箱は、
上蓋と底板を構成する方形の上下一対の面板と、左右の面板を構成する矩形状の一対の面板と、前記上下の面板の、一方の面板の上下折り目に沿ってそれぞれ連設される外フラップと、前記上下の面板の、他方の面板の上下折り目に沿ってそれぞれ連設される外フラップおよび側縁の折り目に沿って連設されるのり代と、前記左右一対の面板の、上下の折り目に沿ってそれぞれ連設される内フラップとから構成されていること
を特徴とする請求項１に記載の包装用紙箱。
【請求項３】
前記包装用紙箱は、
容器本体の上部開口部にフラップを有するものであること
を特徴とする請求項１に記載の包装用紙箱。
【請求項４】
前記開口部は、
前記折り目を共有する面板の一方に、前記折り目に所要幅で平行し、かつ両端部からそれぞれ前記折り目に至る切り込みによって形成されていること
を特徴とする請求項１〜３のいずれかに記載の包装用紙箱。
【請求項５】
前記開口部は、
折り目を共有する面板の複数に形成されていること
を特徴とする請求項１〜３のいずれかに記載の包装用紙箱。
【請求項６】
前記開口部は、
面板と折り目を共有する左右の内フラップのいずれか一方または両方に、それぞれ前記折り目を折曲部とする開閉自在な開口部を形成するとともに、前記一方の面板の裏面から前記各開口部を跨いで前記面板の裏面に帯状のシートが張設され、前記帯状のシートの中央部を前記面板の裏面に貼着固定することによって、物品を収納するためのポケットスペースを２つ形成してなること
を特徴とする請求項３に記載の包装用紙箱。
【発明の詳細な説明】
【技術分野】
【０００１】
この発明は、外気温など外部要因による影響を受け易い物品、あるいは購入した物品に添えられるおまけなどを収納するのに好適な包装用紙箱に関するもので、なかでも、ケーキ類などの食品の包装に好適な包装用紙箱に関するものである。
【背景技術】
【０００２】
生のケーキ類やお弁当、さらにはお惣菜などを持ち運ぶための包装用紙箱は、収納する前記物品を低温に保持することが求められるため、包装用紙箱内にドライアイスなどの保冷材を物品と一緒に収納することが一般的に行われている。
【０００３】
例えば、実公平  ６−２１８５６号公報（特許文献１；実願昭６１−４６９４２）においては、本体と蓋とから構成される包装容器において、前記蓋の裏面に、この裏面の大部分を覆う防湿材の少なくとも三辺を貼り付け、前記防湿材に開口を形成して、箸、手ふきを挿入しているポケットを設けた包装容器が提案されている。
【０００４】
また、実開昭６４−３９２８７号公報（特許文献２）においては、耐水性の容器の内側に、透水性シートの周縁部を固着して形成した袋状物の中へ、吸水樹脂の粉末又は２枚の薄紙の中間層に吸水性樹脂を均一に散在させる加工を施した吸水樹脂シートを封入した保冷保温用容器が提案されている。
【０００５】
また、実開平  １−７３１１３号公報（特許文献３）には、ダンボールで形成されたカートン本体の内面に、ポリエチレンフィルムなどからなる防湿防水層がコーティングなどの手段で形成され、当該防湿防水層内に防湿剤を着脱自在に収容するポケットを設けたダンボール製カートンが開示されている。
【０００６】
また、特開２００４−３５９３１２号公報（特許文献４）には、保冷材を収容あるいは取出しを行うときには、その都度、紙箱を開放することなく、食品に形状崩れを生じさせないため、生菓子などの食品を収納する紙箱の内面に、紙箱の外側より挿入させて保持する保冷材の収納保持部を設けた紙箱の保冷材収納構造が開示されている。
【０００７】
前記紙箱の保冷材収納構造は、より具体的には、紙箱内面にシート部材の周縁を固着させ、シート部材周縁内の紙箱外面に保冷材挿入用の切り口を開設させ、切り口から紙箱内に保冷材を挿入させるものである。
【０００８】
さらに、特許第３９５３４４５号公報（特許文献５）には、生菓子などの食品を収納する紙箱の上側部内面にシート部材を接着し、紙箱の上側部内面とシート部材間に、保冷材を収納保持する保冷材収納部を形成する構造において、不織布で形成される前記シート部材の３辺外側端部に凹形状の接着部を形成するとともに、該凹形状の接着部の両端を中央方向にＬ形状に曲げた部分により接着端部を形成し、前記シート部材の残りの１辺が開放部となるように、前記接着部と接着端部を紙箱の上側部内面に接着したことによって、紙箱の上側部内面にスペースをとることなくコンパクトに保冷材を収納して、保冷を必要とする食品の品質を良好に保った紙箱に対する収納を可能とさせることができる紙箱の保冷材収納構造が開示されている。
【特許文献１】実公平  ６−２１８５６号公報（実用新案登録請求の範囲，第１図）
【特許文献２】実開昭６４−３９２８７号公報（実用新案登録請求の範囲，第１図）
【特許文献３】実開平  １−７３１１３号公報（実用新案登録請求の範囲，第１図）
【特許文献４】特開２００４−３５９３１２号公報（特許請求の範囲，図１）
【特許文献５】特許第３９５３４４５号公報（段落０００６，図１）
【発明の開示】
【発明が解決しようとする課題】
【０００９】
前記公知文献において、特許文献１〜３および特許文献５に記載の発明は、いずれも容器本体の内側に設けたポケット内に、防湿剤や保冷剤などの物品を収納する方式のものである。
しかしながら、この方式は、特許文献４の段落０００４で述べられているように、保冷材を収容あるいは取り出しを行うときには、その都度、紙箱を開放する必要があるので、極めて煩らしいばかりでなく、被包装物である食品に形状崩れを生じさせるなどの不都合があった。
【００１０】
これに対し、特許文献４に記載の紙箱の保冷材収納構造は、先に述べたように、紙箱内面にシート部材の周縁を固着させ、シート部材周縁内の紙箱外面に保冷材挿入用の切り口を開設させ、切り口から紙箱内に保冷材を挿入させるものであるので、前記のような問題点が解消されるとしている。
【００１１】
しかしながら、シート部材周縁内の紙箱外面に形成された保冷材挿入用の切り口を利用して、ある程度の厚みのある保冷材を挿入するには、前記切り口を大きく開口させる必要があるとともに、紙箱を構成する台紙は、弾性に乏しく、復元力が余り作用しないため、保冷材を挿入したのちの切り口が開いた状態となり易く、外気が切り口を通じて直接シート部材に流れ込み、保冷材に外気が作用して保冷材そのものの冷却効果を損ない、保冷持続効果が短くなるとともに、最も目立つ容器の上縁部に切り口が開口するため、容器のデザイン性も損なわれるという問題がある。
【００１２】
また、切り口を介してシート部材内に挿入した保冷材を、何らかの理由で外部に取り出すには、取り出し作業が容易ではなく、取り出しに際し切り口を損傷し易く、紙箱自体の体裁を損なうなど、実用化に際して解決すべき課題を有している。
【００１３】
この発明はかかる現状に鑑み、包装用紙箱内部に保冷材などを挿入するに際し、包装用紙箱の蓋を開けることなく、挿入作業や取り出し作業をきわめて容易に行うことができ、使用時には開口部を覆うことが可能であって、かつデザイン性が損なわれることのない包装用紙箱を提供せんとするものである。
【００１４】
特に、この発明においては、保冷材などの物品を包装用紙箱内に挿入するための開口部が、包装用紙箱の組立て後には、自動的に覆われる包装用紙箱を提供せんとするものであるである。
【課題を解決するための手段】
【００１５】
前記目的を達成するため、この発明の請求項１に記載の包装用紙箱は、
台紙を折り組んで形成される包装用紙箱であって、
折り目を共有する面板の一方に、前記折り目を折曲部とする開閉自在な開口部を形成するとともに、
前記一方の面板の裏面から、前記開口部を跨いで他方の面板の裏面に張設される帯状のシートによって、他方の面板との間に物品を収納するためのポケットスペースを形成してなること
を特徴とするものである。
【００１６】
また、この発明の請求項２に記載の発明は、
請求項１に記載の包装用紙箱において、
前記包装用紙箱は、
上蓋と底板を構成する方形の上下一対の面板と、左右の面板を構成する矩形状の一対の面板と、前記上下の面板の、一方の面板の上下折り目に沿ってそれぞれ連設される外フラップと、前記上下の面板の、他方の面板の上下折り目に沿ってそれぞれ連設される外フラップおよび側縁の折り目に沿って連設されるのり代と、前記左右一対の面板の、上下の折り目に沿ってそれぞれ連設される内フラップとから構成されていること
を特徴とするものである。
【００１７】
また、この発明の請求項３に記載の発明は、
請求項１に記載の包装用紙箱において、
前記包装用紙箱は、
容器本体の上部開口部にフラップを有するものであること
を特徴とするものである。
【００１８】
また、この発明の請求項４に記載の発明は、
請求項１〜３のいずれかに記載の包装用紙箱において、
前記開口部は、
前記折り目を共有する面板の一方に、前記折り目に所要幅で平行し、かつ両端部からそれぞれ前記折り目に至る切り込みによって形成されていること
を特徴とするものである。
【００１９】
また、この発明の請求項５に記載の発明は、
請求項１〜３のいずれかに記載の包装用紙箱において、
前記開口部は、
折り目を共有する面板の複数に形成されていること
を特徴とするものである。
【００２０】
また、この発明の請求項６に記載の発明は、
請求項３に記載の包装用紙箱において、
前記開口部は、
面板と折り目を共有する左右の内フラップのいずれか一方または両方に、それぞれ前記折り目を折曲部とする開閉自在な開口部を形成するとともに、前記一方の面板の裏面から前記各開口部を跨いで前記面板の裏面に帯状のシートが張設され、前記帯状のシートの中央部を前記面板の裏面に貼着固定することによって、物品を収納するためのポケットスペースを２つ形成してなること
を特徴とするものである。
【発明の効果】
【００２１】
この発明の包装用紙箱は、台紙を折り組んで形成される包装用紙箱において、折り目を共有する面板の一方に、前記折り目を折曲部とする開閉自在な開口部を形成すると共に、前記一方の面板の裏面から、前記開口部を跨いで他方の面板の裏面に張設される帯状のシートによって、物品を収納するためのポケットスペースを形成しているので、包装用紙箱内に食品などの物品を収納するための挿入口が閉止されていても、前記開口部を開けることによって、保冷材やおまけなどの物品を、前記ポケットスペースに容易に挿入させて係合保持されることができる。
【００２２】
また、開口部はこれを閉じることによって、外気が開口部を通じて包装用紙箱内に流入することを防ぐので、保冷材などを係合保持させたときは、保冷材を長持ちさせることができる。
【００２３】
また、保冷材の交換などの場合には、前記開口部を再び開口させることによって、使用済みの保冷材を容易に取り出すことができ、かつ新しい保冷材を簡単にポケットスペースに係合保持させることができる。
【００２４】
特に、包装用紙箱に収納する物品の挿入口を、内フラップと外フラップで構成し、前記内フラップに開口部を形成して構成した場合には、当該開口部全体が外フラップで覆われるため、例え指掛け部が切り落とされ透孔が残ったとしても、外気が開口部や前記透孔を通じて包装用紙箱内に流入することがほぼ完全に阻止され、保冷効果を長時間維持させることができ、かつ食品を高い衛生状態で確保することもできる。
【００２５】
同時に、切り込みによる開口部が外フラップで覆われるため、デザイン的にも従前の包装用紙箱と変らない形態を保持することができるなど、実用上多大の利点を有するものである。
【発明を実施するための最良の形態】
【００２６】
以下、この発明にかかる包装用紙箱の最も好ましい実施形態の一例を、添付の図面に基づいて具体的に説明する。
なお、この発明は実施例にのみ限定されるものではなく、要旨を変更しない範囲内において種々改良を加えることができるものである。
【００２７】
図において、図１はこの発明にかかる包装用紙箱の一例を示す展開図、図２は他の包装用紙箱の一例を示す展開図、図３は図１の展開図で示される包装用紙箱の使用直前の状態を示す斜視図、図４は同包装用紙箱の一方の外フラップを開けた状態を示す斜視図、図５は保冷材を装着する直前の説明図、図６は保冷材の装着状態を示す説明図、図７は要部の一部切欠き断面図、図８は保冷材を装着する直前の要部の一部切欠き断面図、図９は保冷材の装着状態を示す要部の一部切欠き断面図、図１０は図２に示す包装用紙箱の他の実施形態を示す概略平面図、図１１はさらに他の包装用紙箱を示す概略説明図である。
【００２８】
図１に示す包装用紙箱１は、デコレーションケーキなどの大きな洋菓子を収納するためのもので、前記洋菓子を低温状態で保持するための保冷材を１個収納することのできるタイプの包装用紙箱である。
【００２９】
この包装用紙箱１は、図１で明らかなように、上蓋と底板を構成する方形の上下一対の面板２，３と、左右の側面板を構成する矩形状の一対の面板４，５と、前記面板２（「上蓋２」とも称する。）の上下の縁部（折り目ｘ）に沿って連設される外フラップ２ａ，２ｂと、前記面板３（「底板３」とも称する。）の上下の縁部（折り目ｘ）に沿って連設される外フラップ３ａ，３ｂ、および側縁（折り目ｘ）に沿って連設されるのり代３ｃと、前記左右一対の面板４，５の、上下の縁部（折り目ｘ）に沿って連設される内フラップ４ａ，４ｂと、内フラップ５ａ，５ｂとから構成されている。
なお、前記外フラップ２ａ，２ｂ、３ａ，３ｂも、内フラップ４ａ，４ｂ、５ａ，５ｂも、面板を構成するものである。
【００３０】
より具体的には、前記各外フラップ２ａ，２ｂの上縁中央部には、差込み片２ｃ，２ｃが、前記外フラップ３ａ，３ｂには、前記差込み片２ｃ，２ｄと対応する位置に、それぞれ差込み部３ｄ，３ｄが切り込みｙによって形成されている。
【００３１】
また、前記上蓋２には、持ち運び時に使用される左右一対の把手６，６が、折り目ｘと切り込みｙによって形成され、前記切り込みｙの一部に形成された指掛け部６ａを切取って各把手６，６を切起こして使用できるよう構成されている。
【００３２】
また、前記内フラップ５ａ，５ｂのいずれか一方側（実施例においては、内フラップ５ａ）には、面板５の上縁（折り目ｘ）と所要幅を介して平行に形成される切り込みｙと、この切り込みｙの両端部から、それぞれ前記折り目ｘに至る切り込みｙによって矩形状の開口部７が形成されている。
なお、前記切り込みｙの一部には、指を挿入するための切取り可能な半円状の指掛け部８が、切り込みｙによって形成されている。
【００３３】
したがって、指掛け部８を押圧すると、切り込みｙによって形成された半円形状の部位が抜け落ちて同形の透孔が形成されるので、この透孔内に指を差込み、指を折り曲げた状態で前記開口部７を外側に引っ張り上げると、開口部７が外側に開き、矩形状の挿入口７ａ（図５参照）が開口する。
【００３４】
なお、前記指掛け部８は、切取り可能に形成されているが、切取ってしまうと、当該指掛け部８が外気を包装用紙箱１内に導く通気口となって、保冷材ＨＣの寿命を損なうおそれがある。
したがって、包装用紙箱１の形状や用途によっては、前記指掛け部８を前記開口部７と一体的に形成し、使用に際しては、指掛け部８を上下いずれかの方向に折り曲げ、しかるのち、半円形状に開口した透孔内に指を差込み、指を折り曲げた状態で外側に引っ張り上げ、開口部７を外側に開くようにすることが好ましい。
その後、適宜手段で折り曲げられた指掛け部８を元の位置に復帰させ、開口部７と面一とさせることによって、前記透孔を閉止することができる。
なお、前記指掛け部８は、当初から半円形状の透孔として、前記切り込みｙの一部に形成させておいてもよい。
【００３５】
また、この包装用紙箱１は、図２で明らかなように、前記上蓋２と、この上蓋２に折り目ｘを介して連設される外フラップ２ａの裏面には、前記上蓋２の形成される左右一対の把手６，６部を覆うようにして、外フラップ２ａから外フラップ２ｂの近傍に至る上蓋２に透明なシート９が貼着（斜線部分は接着剤による固定位置を示す。）されている。
【００３６】
なお、この実施例においては、包装用紙箱１は、前記上蓋２に折り目ｘと切り込みｙによって、切起こして使用する把手６，６を形成しているが、把持用の把手は、上蓋２の上面に後付けするものであってもよい。
その場合、前記透明なシート９は当然不要となる。
【００３７】
さらに、前記開口部７が位置する面板５の裏面には、前記開口部７の上部の内フラップ５ａから、対向する内フラップ５ｂの近傍に向かって、長手方向に延びる一方の側縁部を、前記開口部７を形成する一方の縦方向の切り込みｙに一致させた状態で帯状シート１０が貼着されている。
【００３８】
その際、図１で明らかなように、前記帯状シート１０は、斜線で示す両端部のみが接着剤によって、面板５の裏面と内フラップ５ａの裏面に貼着され、その余の部位は、包装用紙箱１には接着固定されていないので、接着剤が貼着されていない帯状シート１０と面板５の隙間が、ポケットスペースＰとして、後述する保冷材ＨＣを保持する部位となる。
【００３９】
なお、この実施例においては、前記各切り込みｙはミシン線としているが、ストレートな切り込み線であってもよい。
【００４０】
かかる構成からなる包装用紙箱１は、図１において縦方向に形成された折り目ｘに沿って各部材を内側に折り曲げたのち、のり代３ｃの表面に接着剤を塗布し、当該のり代３ｃの表面部を、側面板４の縁部内側に当接して筒状体を形成する。
ついで、横方向に形成された折り目ｘに沿って、まず内フラップ４ａ，４ｂおよび５ａ，５ｂを内側に折り曲げたのち、底板３に形成した外フラップ３ａ，３ｂを内側に折り曲げる。
しかるのち、上蓋２の外フラップ２ａ，２ｂをそれぞれ内側に折り曲げ、各外フラップ２ａ，２ｂに形成された差込み片２ｃを、前記外フラップ３ａ，３ｂに形成された各差込部３ｄ，３ｄに差し込んで、図３に示す包装用紙箱１とするものである。
【００４１】
以下、この包装用紙箱１の使用方法を説明する。
まず、図４に示すように、内部にケーキ（図示せず）を収納し、内フラップ４ａ，５ａをそれぞれ内側に折り曲げて、ケーキの挿入部を一旦仮閉止する。（図７参照）
【００４２】
ついで、図５に示すように、内フラップ５ａに形成された半円状の指掛け部８を切取ったのち、切取りによって形成された透孔内に指先を挿入し、指先を折り曲げて切り込みｙに沿って開口部７を外側に引き上げると、開口部７が切り込みｙに沿って切起こされ、挿入口７ａが開口する。（図８参照）
【００４３】
前記挿入口７ａが開口すると、その内部には、図８に示すように、帯状のシート１０が側面板５から、前記開口部７を跨って内フラップ５ａに張設され、帯状のシート１０と面板５の内側との間にポケットスペースＰが形成されている。
【００４４】
よって、図５又は図８に示すように、適宜な大きさの保冷材ＨＣを前記挿入口７ａからポケットスペースＰに押し込めば、保冷材ＨＣは、図６又は図９に示すように、前記帯状シート１０と面板５の内側間のポケットスペースＰに係合保持される。
【００４５】
前記要領でポケットスペースＰに保冷材ＨＣを係合保持させたのちは、切起こした開口部７を内フラップａと面一になるように倒したのち、底板３に連なる外フラップ３ａを内フラップ４ａ，５ａに当接させるよう起立させる。
ついで、上蓋２に連なる外フラップ２ａを折り曲げ、その前縁に形成された差込み片２ｃを、前記外フラップ３ａに形成された差込み部３ｄと係合させれば、図３に示す包装用紙箱１となるので、把手６，６を切越して顧客に渡すものである。
【００４６】
その際、内フラップ５ａから切取られた指掛け部８は、半円形の状態の透孔として残るが、その透孔は外フラップ３ａによって完全に覆われるので、外気が透孔を通じて直接包装用紙箱１内に流入し、保冷材ＨＣを急激に暖めるおそれがないので、保冷材ＨＣによる低温維持を長く持続させることが可能となる。
【００４７】
また、前記帯状のシート１０によるポケットスペースＰは、包装用紙箱１内にケーキなどの収納物を一旦収納したのち、必要があれば、前記手順で開口部７を開口させることによって、随時保冷材ＨＣなどの物品を包装用紙箱１内に収納させることができる。
【００４８】
このポケットスペースＰは、実施例においては、保冷材ＨＣを係合保持しているが、保冷材ＨＣ以外に、誕生日用のローソクやおまけのフィギュアなどの物品も係合保持させることができるので、包装用紙箱１の用途に応じてポケットスペースＰに収納する物品を適宜選択することができる。
【００４９】
図２に示す実施例は、左右の側面板を形成する一方の面板５の、上下の折り目ｘに沿って連設される内フラップ５ａ，５ｂにそれぞれ開口部７，７を形成し、かつこれら開口部７，７を跨げて、面板５と内フラップ５ａ，５ｂの裏面に帯状のシート１０を張設固定し、かつ前記帯状のシート１０によって、２つのポケットスペースＰ，Ｐを形成したものである。
なお、図１と同一部分は、同一の符号で示す。
【００５０】
より具体的には、面板５に連設される各内フラップ５ａ，５ｂに、それぞれ折り目ｘに沿って、所要幅で平行に形成される切り込みｙと、この切り込みｙの両端部から、それぞれ前記折り目ｘに至る切り込みｙによって、矩形状の開口部７，７を形成する。
【００５１】
しかるのち、前記開口部７，７が位置する面板５の裏面には、一方の内フラップ５ａから、対向する他方の内フラップ５ｂに向かって、各開口部７，７を跨ぐように、かつ長手方向に延びる一方の側縁部を、前記開口部７，７を形成する一方の縦方向の切り込みｙに一致させた状態で帯状のシート１０が張設されたものである。
【００５２】
この帯状のシート１０の両端部を、それぞれ内フラップ５ａ，５ｂの裏面に、その中央部を面板５の裏面中央部にそれぞれ接着固定させることによって、各開口部７，７から挿入された物品を係合保持するための二つのポケットスペースＰ，Ｐとしたものである。
なお、図２中、斜線部分は接着剤による固定位置を示す。
【００５３】
また、前記平行に形成された切り込みｙの一部には、指を挿入するための切取り可能な指掛け部８が、切り込みｙによって形成されている。
したがって、指掛け部８を押圧すると、切り込みｙによって形成された半円形の部位が抜け落ち透孔が形成されるので、この透孔内に指を差込み、開口部７を外側に引っ張ると、開口部７が外側に開き、矩形状の挿入口７ａを開口させることができる。
【００５４】
図２に示す包装用紙箱１の使用法は、基本的に図１に示す包装用紙箱１の場合と同様であるが、物品を係合保持するポケットスペースＰが２つ形成されているので、一方に保冷材を、他方にローソクやおまけなど適宜な物品を保持させることができる。
【００５５】
また、図示しないが、図１の実施例においては、面板４にも面板５に形成された同様の開口部７を設けて、同様な構成とすることことによって、２箇所のポケットスペースを設けることができる。
また、図２の実施例においても、図１０に示すように、面板４にも面板５に形成された同様の開口部７，７を設けて、同様な構成とすることによって、４箇所のポケットスペースＰを設けることができるなど、包装用紙箱の用途や収納する物品の数によって、開口部を設ける位置やポケットスペース数を自在に選択することができる。
【００５６】
さらに、前記指掛け部８も、前記実施例と同様に、切り離しできないように構成することも可能なものである。
【００５７】
前記の実施例における包装用紙箱１は、所要の厚みを有する一枚の台紙から構成されるもので、台紙の素材には特段の限定はないが、所要の厚みを有するダンボールを使用することが、開口部７の復元性を増す観点から好ましいものである。
また、使用する帯状のシート１０の素材については特段の制限はないものの、廉価なフィルムを使用することが好ましいが、保冷効果を高めるには、不織布などを利用することが好ましい。
さらに、前記帯状のシート１０を設ける位置は、係合保持する物品の一部が底板３によって一部支持される低い位置が好ましいが、この点についても特段の制限はない。
【００５８】
図１１に示す包装用紙箱１１は、さらにこの発明にかかる包装用紙箱の他の実施例を示すものであって、側面板を構成する面板１２ａ，１２ｂ，１２ｃおよび１２ｄからなる所要の深さを有する容器本体１２と、この容器本体１２の上部開口部を閉止するための蓋体１３とから構成されたものである。
また、前記容器本体１２の開口部の相対する左右の面板１２ｂと１２ｄの上縁には、それぞれ折り目ｘを介して面板を構成するフラップ１４，１４が一体的に形成され、開口部を仮閉止できるよう構成されている。
なお、前記蓋体１３は、後部の面板１２ａに折り目ｘを介して連設されているが、この蓋体は容器本体１２とは別体のものであってもよい。
【００５９】
かかる包装用紙箱１１において、前記各フラップ１４，１４には、それぞれ折り目ｘに沿って切り込みｙによって開口部１５，１５が形成されるとともに、前記切り込みｙの一部に指掛け部１６が形成されている。
【００６０】
また、前記各開口部１５が位置するフラップ１４，１４の裏面からは、前記開口部１５を跨いで連設する面板１２ｂ，１２ｄに向かって帯状のシート１７が張設され、面板１２ｂおよび１２ｄと前記帯状のシート１７との間に、それぞれポケットスペースを形成して保冷材の係合保持部としたものである。
【００６１】
この実施例の包装用紙箱１１も、前記実施例で述べたように、容器本体１２内にケーキなどの物品（図示せず）を収納し、蓋体１３で開口部を閉止したのち、保冷材ＨＣなどの物品を容器本体１２内に保持させる場合、フラップ１４に形成した開口部１５開き、矩形状に開いた挿入口からポケットスペースに保冷材の係合保持さるものである。
【産業上の利用可能性】
【００６２】
この発明にかかる包装用紙箱は、特に、一定時間低温状態を保持することが求められるケーキ類や惣菜などの食品の包装に用いるのに好都合なものであるが、包装用紙箱の用途には特段の限定はないので、物品を包装用紙箱内に収納したのち、外部から保冷材、除湿材、保温材、ローソクやおまけ、さらには香料など各種の物品を、包装用紙箱の蓋を開けることなく、自在に出し入れすることができるので、広い用途に利用することができる。
【図面の簡単な説明】
【００６３】
【図１】この発明にかかる包装用紙箱の一例を示す展開図である。
【図２】この発明にかかる他の包装用紙箱の一例を示す展開図である。
【図３】図１の展開図で示される包装用紙箱の使用直前の状態を示す斜視図である。
【図４】同包装用紙箱の一方の外フラップを開けた状態を示す斜視図である。
【図５】保冷材を装着する直前の概略説明図である。
【図６】保冷材の装着状態を示す説明図である。
【図７】図１に示す包装用紙箱の要部の一部切欠き断面図である。
【図８】保冷材を装着する直前の要部の一部切欠き断面図である。
【図９】保冷材の装着状態を示す要部の一部切欠き断面図である。
【図１０】図２に示す包装用紙箱の他の実施形態を示す概略平面図である。
【図１１】さらに他の包装用紙箱を示す概略説明図である。
【符号の説明】
【００６４】
１            包装用紙箱
２            面板（上蓋）
２ａ，２ｂ    外フラップ
２ｃ          差込み片
３            面板（底部）
３ａ，３ｂ    外フラップ
３ｄ          差込み部
４，５        面板
４ａ，４ｂ    内フラップ
５ａ，５ｂ    内フラップ
６            把手
７            開口部
７ａ          挿入口
８            指掛け部
１０          帯状のシート
ｘ            折り目
ｙ            切り込み
Ｐ            ポケットスペース
ＨＣ          保冷材
【図１】
2010137903.tif 000003
【図２】
2010137903.tif 000004
【図３】
2010137903.tif 000005
【図４】
2010137903.tif 000006
【図５】
2010137903.tif 000007
【図６】
2010137903.tif 000008
【図７】
2010137903.tif 000009
【図８】
2010137903.tif 000010
【図９】
2010137903.tif 000011
【図１０】
2010137903.tif 000012
【図１１】
2010137903.tif 000013